(57)【要約】【課題】室外機を、圧縮機等を有する圧縮機ユニットと、室外熱交換器及び送風ファン等を有する熱交換器ユニットとに分割した分離型空気調和装置において、複数の熱交換器ユニットを集中して設置する場合、設置面積の省スペース化を図る。【解決手段】分離型空気調和装置の室外機を、圧縮機及びアキュームレータ等を有する圧縮機ユニットと、室外熱交換器及び送風ファン等を有する熱交換器ユニット４とに分割した分離型空気調和装置において、前記熱交換器ユニット４は、外形を略三角柱状に形成すると共に、上板１７及び底板１４と、吸込口２６を有して室外熱交換器が設けられる２つの側面部と、吹出口２４を有する前面パネル１５とを備えた。【選択図】      図２
2004218905.tif 000002
【特許請求の範囲】
【請求項１】
分離型空気調和装置の室外機を、圧縮機及びアキュームレータ等を有する圧縮機ユニットと、室外熱交換器及び送風ファン等を有する熱交換器ユニットとに分割した分離型空気調和装置において、
前記熱交換器ユニットは、外形を略三角柱状に形成すると共に、上板及び底板と、吸込口を有して室外熱交換器が設けられる２つの側面部と、吹出口を有する前面パネルとを備えたことを特徴とする分離型空気調和装置。
【請求項２】
前記熱交換器ユニットを複数台設置する場合、複数の熱交換器ユニットの前面パネル同士をそれぞれ同一面上に配置するとともに、複数段に積上げ可能で、かつ横並び可能に設置されることを特徴とする請求項１に記載の分離型空気調和装置。
【請求項３】
前記複数の熱交換器ユニットの後部同士を対向して設置可能にしたことを特徴とする請求項１または２に記載の分離型空気調和装置。
【請求項４】
前記熱交換器ユニットは複数の吹出口と、これら吹出口に設けられる送風ファンとを備えたことを特徴とする請求項１〜３のいずれかに記載の分離型熱空気調和装置。
【請求項５】
圧縮機を備えた圧縮機ユニットと、室外熱交換器を備えた熱交換器ユニットとから室外機が構成され、この室外機に室内機がつながる分離型空気調和装置において、
これら熱交換器ユニットを複数台設置する場合、これら熱交換器ユニットの吸込みスペースが確保されつつ積み重ねられていること特徴とする分離型熱空気調和装置。
【発明の詳細な説明】
【０００１】
【発明の属する技術分野】
本発明は、分離型空気調和装置の室外機を、圧縮機等を有する圧縮機ユニットと、室外熱交換器及び送風ファン等を有する熱交換器ユニットとに分割して構成した分離型空気調和装置に関する。
【０００２】
【従来の技術】
一般に、室内機と室外機とを有する分離型空気調和装置において、室外機を、圧縮機等を有する圧縮機ユニットと、室外熱交換器及び送風ファン等を有する熱交換器ユニットとに分割した空気調和装置が知られている（例えば、特許文献１参照）。
【０００３】
この種のものでは、室外機を分割したことにより室外機の軽量化が図れ、かつ、圧縮機ユニットを閉鎖した機械室等に設置することにより外部に漏れる騒音を抑えて低騒音化が図れるという効果がある。
【０００４】
【特許文献１】
特開平１０−１７００３４号公報
【０００５】
【発明が解決しようとする課題】
ところで、空気調和装置を設置する場合、都市部では敷地面積に制限があるため、室外機の設置スペースの確保が難しかった。特にビル等、多数の空気調和装置を設置する場合には、室外機を屋上に集中して設置することが一般的であり、最近の屋上緑化等の観点から益々設置スペースの確保が難しいという問題がある。
【０００６】
本発明は、室外機を、圧縮機等を有する圧縮機ユニットと、室外熱交換器及び送風ファン等を有する熱交換器ユニットとに分割した分離型空気調和装置において、複数の熱交換器ユニットを集中して設置する場合、設置面積の省スペース化を図ることを目的とする。
【０００７】
【課題を解決するための手段】
上記目的を達させるするために、請求項１に記載の発明は、分離型空気調和装置の室外機を、圧縮機及びアキュームレータ等を有する圧縮機ユニットと、室外熱交換器及び送風ファン等を有する熱交換器ユニットとに分割した分離型空気調和装置において、前記熱交換器ユニットは、外形を略三角柱状に形成すると共に、上板及び底板と、吸込口を有して室外熱交換器が設けられる２つの側面部と、吹出口を有する前面パネルとを備えたことを特徴とする。
【０００８】
請求項２に記載の発明は、請求項１に記載の分離型空気調和装置において、前記熱交換器ユニットを複数台設置する場合、複数の熱交換器ユニットの前面パネル同士をそれぞれ同一面上に配置するとともに、複数段に積上げ可能で、かつ横並び可能に設置されることを特徴とする。
【０００９】
請求項３に記載の発明は、請求項１または２に記載の分離型空気調和装置において、前記複数の熱交換器ユニットの後部同士を対向して設置可能にしたことを特徴とする。
【００１０】
請求項４に記載の発明は、請求項１〜３のいずれかに記載の分離型熱空気調和装置において、前記熱交換器ユニットは複数の吹出口と、これら吹出口に設けられる送風ファンとを備えたことを特徴とする。
【００１１】
請求項５に記載の発明は、圧縮機を備えた圧縮機ユニットと、室外熱交換器を備えた熱交換器ユニットとから室外機が構成され、この室外機に室内機がつながる分離型空気調和装置において、これら熱交換器ユニットを複数台設置する場合、これら熱交換器ユニットの吸込みスペースが確保されつつ積み重ねられていること特徴とする。
【００１２】
【発明の実施の形態】
以下、本発明の一実施形態を図面に基づいて説明する。図１は、本発明の一実施形態における空気調和装置の冷媒回路図である。
【００１３】
図１において、本発明の分離型空気調和装置１は、室内ユニット２、圧縮機ユニット３及び熱交換器ユニット４に分割して構成されている。室内ユニット２には室内熱交換器５を有し、圧縮機ユニット３にはアキュームレータ６、圧縮機７、四方弁８、減圧装置としてのキャピラリーチューブ９等を有し、熱交換器ユニット４には室外熱交換器１２を有しており、これら構成部品である、室内熱交換器５、アキュームレータ６、圧縮機７、四方弁８、室外熱交換器１２、キャピラリーチューブ９が順次冷媒管１３にて環状に接続されて冷凍回路を構成している。
【００１４】
そして、冷房運転時には、四方弁８が冷房側に切り替わって、圧縮機７から吐出された冷媒が、実線矢印に示すように、四方弁８、室外熱交換器１２、キャピラリーチューブ９、室内熱交換器５を流れ、室外熱交換器１２が凝縮器に、室内熱交換器５が蒸発器になって室内を冷房する。
【００１５】
また、暖房運転時には、四方弁８が暖房側に切り替わって、圧縮機７から吐出された冷媒が、破線矢印に示すように、四方弁８、室内熱交換器５、キャピラリーチューブ９、室外熱交換器１２を流れ、室内熱交換器５が凝縮器に、室外熱交換器１２が蒸発器になって室内を暖房する。
【００１６】
［実施形態１］    図２は本発明の実施形態１における熱交換器ユニットを示す斜視図、図３は熱交換器ユニットの正面図、図４は図３のＡ−Ａ’断面を示す平断面図である。
【００１７】
図２〜図４において、前記熱交換器ユニット４は、外形が略三角柱状をしており、底面に設けられる底板１４と、前面に設けられる前面パネル１５と、後部に設けられる支柱１６と、天面に設けられる上板１７とを有している。
【００１８】
前記底板１４は一辺を前側にして略二等辺三角形をしており、その周縁が垂直に折曲加工されている。底板１４の略中央にはモータ固定具２１が立設され、このモータ固定具２１には送風ファン２２を備えたモータ２３が横向きに上下２個取り付けられている。底板１４の後部の角部分には熱交換器ユニット４の支えとしての支柱１６が設けられ、その下端が周縁壁にねじ止め固定されている。
【００１９】
この底板１４の前側の辺には前記前面パネル１５が設けられ、この前面パネル１５は略長方形のパネルに吹出口２４としての上下２つの円形開口部が設けられ、これら開口部には複数の横桟が設けられてこれら開口部から内部に指が差し込めないようになっている。これら開口部は送風ファン２２、２２の前方に位置している。
【００２０】
前記前面パネル１５の左側縁１５ａ及び支柱１６の間、並びに前面パネル１５の右側縁１５ｂ及び支柱１６の間には板状の室外熱交換器１２が設けられている。この室外熱交換器１２は蛇行させた冷媒管１３に複数の放熱フィンを直交させて板状の熱交換器を形成し、この板状の熱交換器をΛ字状に２つ折りに折曲加工したものである。この室外熱交換器１２は上から見てΛ字状になるようにして前記底板１４に載置固定される。そしてこの室外熱交換器１２の冷媒管１３の両端が前面パネル１５の左下部に形成された配管用開口部２５ａ、２５ｂを通して外部に延出している。
【００２１】
前記上板１７は、底板１４と同形状の略二等辺三角形をしており、その周縁が下方に垂直に折曲加工され、この周縁壁に前面パネル１５及び支柱１６が固定される。上板１７、前面パネル１５の左側縁１５ａ、底板１４及び支柱１６に囲まれた面が左吸込口２６ａを形成し、上板１７、前面パネル１５の右側縁、底板１４及び支柱１６に囲まれた面が右吸込口２６ｂを形成している。
【００２２】
図５はビル等に複数の分離型空気調和装置を設置した場合の一例を示す説明図である。この分離型空気調和装置１の１台分が、２台の室内ユニット２、２、１台の圧縮機ユニット３、２台の熱交換器ユニット４、４で構成されている。
【００２３】
図５において、各階の部屋Ｒ１、Ｒ２の天井には天井埋込型の室内ユニット２が設置され、屋上Ｒの下の階には機械室Ｋが設けられ、この機械室Ｋに圧縮機ユニット３が設けられ、屋上Ｒに熱交換器ユニット４（図の後方にもそれぞれ１台ずつ配置）が集中して設けられている。各室内ユニット２、圧縮機ユニット３及び熱交換器ユニット４が、冷媒管１３にてそれぞれ対応するように接続されている。
【００２４】
図６は熱交換器ユニットを複数設置したときの一例（図５に比べ台数は異なる）を示す斜視図である。図６において、２台の熱交換器ユニット４の後部同士が対向するように配置され、かつ、これらの熱交換器ユニット４の前面パネル１５同士が横一列に接するように配置されている。さらにこれらの熱交換器ユニット４、４・・の上板１７に別の熱交換器ユニット４の底板１４を重ね合わせ積上げている。これら熱交換器ユニット４、４・・は、図６に示すように、例えば６台毎にアングル材２７で固定され補強される。また、図示はしていないが、各熱交換器ユニット４からそれぞれの圧縮機ユニット３へ接続される冷媒管１３が各前面パネル１５の配管開口部２５ａ、２５ｂから延出している。
【００２５】
以上のように集中して設置された熱交換器ユニット４、４・・において、熱交換器ユニット４が略三角柱をしているので、隣同士の室外熱交換器１２、１２間には隙間ができ、送風ファン２２回転時には、この隙間を通して吸込口２６ａ、２６ｂから熱交換器ユニット４内に外気を取り入れることができ、取り入れられた外気が室外熱交換器１２内を流れる冷媒と熱交換して吹出口２４から吹き出される。
【００２６】
このように熱交換器ユニット４を横一列及び上下複数段に配置して設置しても、空気の流れが阻害されず熱交換器ユニット４の熱交換能力を確保できるので、複数の熱交換器ユニット４を集中してコンパクトに設置することができ、設置面積の省スペース化を図ることができる。
【００２７】
［実施形態２］    図７は熱交換器ユニット４を複数設置したときの斜視図を示し、図６とは配置の異なるものである。
【００２８】
図７において、複数の熱交換器ユニット４がアングル材を用いて作られた構造枠内に取り付けられている。各熱交換器ユニット４は横向きにされ、一方の吸込口２６ａの面が水平になるようにして用いられ、各熱交換器ユニット４が横に２列、斜め上下方向に４段に配置されこれらの熱交換器ユニット４、４・・がΛ字状に積上げ設置されている。
【００２９】
以上のように複数の熱交換器ユニット４、４・・をΛ字状に配置して設置したことにより、送風ファン２２の回転時には、Λ字状の内側に外気が通り、吸込口２６ａ、２６ｂからそれぞれの熱交換器ユニット４内に外気が取り入れられ、取り入れられた外気が室外熱交換器１２内を流れる冷媒と熱交換され、吹出口２４から吹き出される。
【００３０】
このように熱交換器ユニット４、４・・を横一列及び上下複数段に配置しても、空気の流れが阻害されず熱交換器ユニット４の熱交換能力を確保できるので、複数の熱交換器ユニット４、４・・を集中してコンパクトに設置することができ、設置面積の省スペース化を図ることができる。
【００３１】
［実施形態３］    図８は実施形態３における、熱交換器ユニットを示す斜視図である。
【００３２】
図８において、熱交換器ユニット３１は、箱体状をして、底板３２と、天面パネル３３と、底板３２及び天面パネル３３間に設けられる４本の支柱３４とを有している。４つの側面には熱交換器３５が配設され、天面パネル３３には円形の開口３６が設けられ保護用の格子が取り付けられている。底板３２上には取付台（図示せず）が設けられ、この取付台には図８の上方に送風する送風機（図示せず）が取り付けられている。
【００３３】
そして、この熱交換器ユニット３１は、空気調和装置の運転時には、送風機が作動することにより、熱交換器３５を通して４つの側面から外気が取り入れられ、外気が熱交換器３５と熱交換された後、開口３６から吹き出されるようになっている。
【００３４】
図９は図８の熱交換器ユニットを横向きに複数設置したときの一例を示す斜視図である。なお、複数の熱交換器ユニット３１以外の室内ユニット２及び圧縮機ユニット３等の構成は実施形態１と同様である。
【００３５】
図９において、複数の熱交換器ユニット３１は１つ置きにアングル材を用いて作られた構造枠内に取り付けられ、上下左右、１つ置きになるように積み重ねて配置されている。また、図示はしていないが、各熱交換器ユニット３１の一側面から後方に延出する冷媒管が、それぞれの圧縮機ユニット３へ接続されている。
【００３６】
このように熱交換器ユニット３１、３１・・を１つ置きに上下左右に積み重ねて配設した場合、空気が円滑に流れるので、熱交換器ユニット３１の熱交換能力を確保でき、さらに、複数の熱交換器ユニット３１、３１・・をコンパクトに集中して設置できるので、設置面積の省スペース化を図ることができる。
【００３７】
なお、本実施形態３では箱体形状の熱交換器ユニット３１を用いて配置しているが、３角柱状の熱交換器ユニット４を用いて、実施形態３のように、１つ置きに上下左右に積み重ねて配置するようにしても良い。
【００３８】
以上、３つの実施形態に基づいて本発明を説明したが、本発明はこれに限定されるものではない。
【００３９】
複数の熱交換器ユニット４、４・・を２つの実施形態に基づき、また複数の熱交換器ユニット３１、３１・・を１つの実施形態に基き、それぞれ設置レイアウトを説明しているが、設置レイアウトは、これら３つに限定されるものではなく、種々変更が可能である。
【００４０】
また、熱交換器ユニット４（または３１）は設置台数が多いほど省スペース化に効果的であり、空気調和装置１を増設する場合にも熱交換器ユニット４の設置場所の確保が容易である。
【００４１】
また、本実施形態では圧縮機ユニットを機械室Ｋに設置しているが、圧縮機ユニットも屋上Ｒに設置するようにしても良い。
【００４２】
【発明の効果】
以上説明したように、本発明によれば熱交換器ユニットの外形を略３角柱状に形成し前面に吹出口、２側面に吸込口を設けて室外熱交換器を配置したので、複数の熱交換器ユニットを設置する場合、熱交換器ユニットを接近して配置することができ、設置面積の省スペース化を図ることができる。
【００４３】
また、箱体状の熱交換器ユニットであっても吸込みスペースを確保しつつ積み重ねて配置することにより、設置面積の省スペース化を図ることができる。
【図面の簡単な説明】
【図１】本発明の一実施形態における空気調和装置の冷媒回路図である。
【図２】本発明の一実施形態における熱交換器ユニットを示す斜視図である。
【図３】図２の熱交換器ユニットの正面図である。
【図４】図３のＡ−Ａ’断面を示す平断面図である。
【図５】図２の空気調和装置を複数設置した場合の一例を示す説明図である。
【図６】実施形態１における、熱交換器ユニットを複数設置したときの一例を示す斜視図である。
【図７】実施形態２における、熱交換器ユニットを複数設置したときの一例を示す斜視図である。
【図８】実施形態３における、熱交換器ユニットを示す斜視図である。
【図９】実施形態３における、熱交換器ユニットを複数設置したときの一例を示す斜視図である。
【符号の説明】
１  分離型空気調和装置
２  室内ユニット
３  圧縮機ユニット
４  熱交換器ユニット
１２  室外熱交換器
１４  底板
１５  前面パネル
１６  支柱
１７  上板
２２  送風ファン
２４  吹出口
２６ａ  左吸込口
２６ｂ  右吸込口
３１  熱交換器ユニット
３２  底板
３５  熱交換器
Ｒ１、Ｒ２  部屋
Ｋ  機械室
Ｒ  屋上
【図１】
2004218905.tif 000003
【図２】
2004218905.tif 000004
【図３】
2004218905.tif 000005
【図４】
2004218905.tif 000006
【図５】
2004218905.tif 000007
【図６】
2004218905.tif 000008
【図７】
2004218905.tif 000009
【図８】
2004218905.tif 000010
【図９】
2004218905.tif 000011